(57)【要約】【課題】番組放送中に検索サービスを提供する。【解決手段】本発明の検索サービスを提供する方法は、ユーザ入力手段のキー入力に応答し、双方向放送端末の画面に検索サービスを提供するための検索領域を提供し、検索領域に放送中の番組ＩＤに基づいて代表キーワードが検索語として自動的に入力される第１の検索ウィンドウを提供し、検索領域に第１の検索ウィンドウと隣接し、視聴中の番組と関連した補完された形態の検索語が自動的に入力される第２の検索ウィンドウを提供し、検索領域に第１の検索ウィンドウ及び第２の検索ウィンドウのうち少なくとも一つと隣接し、リアルタイム急上昇検索語が自動的に入力される第３の検索ウィンドウを提供することを含み、第２の検索ウィンドウ及び第３の検索ウィンドウには、該当検索ウィンドウが選択される場合、当該検索ウィンドウに表示される検索語の変形語が含まれる拡張ポップアップウィンドウが提供される。【選択図】図１１
2010146570.tif 000002
【特許請求の範囲】
【請求項１】
双方向放送端末に番組放送中に検索サービスを提供する方法において、
ユーザ入力手段のキー入力に応答し、前記双方向放送端末の画面に前記検索サービスを提供するための検索領域を提供し、
前記検索領域に、前記画面上で放送中の番組ＩＤに基づいて代表キーワードが検索語として自動的に入力される第１の検索ウィンドウを提供し、
前記検索領域に、前記第１の検索ウィンドウと隣接し、視聴中の番組と関連した補完された形態の検索語が自動的に入力される第２の検索ウィンドウを提供し、
前記検索領域に、前記第１の検索ウィンドウ及び前記第２の検索ウィンドウのうち少なくとも一つと隣接し、リアルタイム急上昇検索語が自動的に入力される第３の検索ウィンドウを提供すること、を含み、
前記第２の検索ウィンドウ及び前記第３の検索ウィンドウには、該当検索ウィンドウが選択される場合、当該検索ウィンドウに表示される検索語の変形語が含まれる拡張ポップアップウィンドウが提供されることを特徴とする、検索サービス提供方法。
【請求項２】
前記第１の検索ウィンドウ、前記第２の検索ウィンドウ及び前記第３の検索ウィンドウのうちいずれか一つに自動的に入力される検索語が選択された場合、前記選択された検索語を検索エンジンに伝送し、
前記検索エンジンから検索結果を受信し、この検索結果を前記検索領域に表示することをさらに含むことを特徴とする、請求項１に記載の検索サービス提供方法。
【請求項３】
前記第２の検索ウィンドウに自動的に入力される検索語又は前記第３の検索ウィンドウに自動的に入力される検索語は、ローリング方式で変更されることを特徴とする、請求項１に記載の検索サービス提供方法。
【請求項４】
前記拡張ポップアップウィンドウは、前記第２の検索ウィンドウ又は第３の検索ウィンドウに最終的に表示された検索語の変形語を含むことを特徴とする、請求項３に記載の検索サービス提供方法。
【請求項５】
前記検索領域は、前記双方向放送端末の画面上での透明度調節及び前記双方向放送端末の画面上での位置調節が可能であることを特徴とする、請求項１に記載の検索サービス提供方法。
【請求項６】
少なくとも一つのコンピュータ構成要素を介して実行可能であり、双方向放送端末に番組放送中に検索サービスを提供するためのプログラム命令語を含むコンピュータプログラムを記録したコンピュータ読取可能な記録媒体であって、
前記少なくとも一つのコンピュータ構成要素は、
ユーザ入力手段のキー入力に応答し、前記双方向放送端末の画面に検索サービスを提供するための検索領域を提供し、
前記検索領域に、放送中の番組ＩＤに基づいて代表キーワードが検索語として自動的に入力される第１の検索ウィンドウを提供し、
前記検索領域に、前記第１の検索ウィンドウと隣接し、視聴中の番組と関連した補完された形態の検索語が自動的に入力される第２の検索ウィンドウを提供し、
前記検索領域に前記第１の検索ウィンドウ及び前記第２の検索ウィンドウのうち少なくともと隣接し、リアルタイム急上昇検索語が自動的に入力される第３の検索ウィンドウを提供し、
前記第２の検索ウィンドウ及び前記第３の検索ウィンドウには、該当検索ウィンドウが選択される場合、当該検索ウィンドウに表示される検索語の変形語が含まれる拡張ポップアップウィンドウが提供されることを特徴とする、コンピュータ読取可能な記録媒体。
【請求項７】
番組を放送中の双方向放送端末に検索サービスを提供する検索サービス装置において、
検索エンジンによって収集された検索ログデータを格納する検索ログデータベースと、
前記検索ログデータに基づいて放送中の番組と関連したキーワード及び前記番組と関連したキーワードの変形語を生成する推薦検索語抽出部と、
前記検索ログデータに基づいてリアルタイム急上昇検索語及び前記リアルタイム急上昇検索語の変形語を生成するリアルタイム検索語抽出部と、
前記双方向放送端末から前記検索サービス要求を受信した際に、前記生成された番組関連キーワード及び前記リアルタイム急上昇検索語が自動的に入力される複数の検索ウィンドウを含む検索領域を前記双方向放送端末に提供する検索領域提供部と、を含み、
前記検索ウィンドウが選択された場合、自動的に入力される前記番組関連キーワード又は前記リアルタイム急上昇検索語の変形語を含む拡張ポップアップウィンドウが提供されることを特徴とする検索サービス提供装置。
【請求項８】
前記複数の検索ウィンドウは、前記放送中の番組の代表キーワードが自動的に入力される第１の検索ウィンドウと、
前記第１の検索ウィンドウと隣接し、前記番組関連キーワードが自動的に入力される第２の検索ウィンドウと、
前記第１の検索ウィンドウ及び前記第２の検索ウィンドウのうち少なくとも一つと隣接し、前記リアルタイム急上昇検索語が自動的に入力される第３の検索ウィンドウと、を含むことを特徴とする、請求項７に記載の検索サービス提供装置。
【請求項９】
前記検索領域提供部は、前記第１の検索ウィンドウに入力されるテキストを含む変形語を提供する拡張ポップアップウィンドウを提供することを特徴とする、請求項８に記載の検索サービス提供装置。
【請求項１０】
前記第１の検索ウィンドウに入力されるテキストは、前記検索語の初声であることを特徴とする、請求項９に記載の検索サービス提供装置。
【請求項１１】
前記検索領域提供部は、前記第２の検索ウィンドウに自動的に入力されるキーワード及び前記第３の検索ウィンドウに自動的に入力される前記リアルタイム急上昇検索語をローリング方式で変更することを特徴とする、請求項８に記載の検索サービス提供装置。
【発明の詳細な説明】
【技術分野】
【０００１】
本発明は、番組放送中に検索サービスを提供する方法及び装置に関するもので、より詳細には、視聴者が、双方向放送端末を用いて任意の放送番組を視聴途中に検索サービスを利用できるようにする方法及び装置に関するものである。
【背景技術】
【０００２】
最近、放送とデータ通信との間の境界が崩れながら、ビデオ・オン・デマンド（ＶＯＤ）、データ放送、Ｔ―コマース、ＩＰＴＶ（Ｉｎｔｅｒｎｅｔ  Ｐｒｏｔｏｃｏｌ  ＴｅｌｅＶｉｓｉｏｎ）などの双方向放送サービスが活発に開発されている。
【０００３】
このような双方向放送は、単純に全てのユーザに同一の放送コンテンツを提供する水準を越えて、リターンチャンネルを用いて視聴者の要求を反映しており、視聴者が直接選択したコンテンツを提供するサービスも可能である。
【０００４】
一方、インターネットの多様なサービスが放送と融合しながら、インターネットサービスのうち最も主要なサービスの一つである検索サービスもユーザは放送受信機器で受けることが可能になった。例えば、ＩＰＴＶは、インターネットＩＰ基盤のネットワークを用いて放送コンテンツを提供しながらも、既存のＩＰ基盤の多様なサービスを放送と融合して提供している。特に、放送コンテンツに対する視聴者の疑問を直ちに解消できるコンテンツ関連キーワード検索サービスには、現在も多くの需要が存在している。
【０００５】
また、最近は、多様な放送番組情報を提供する電子番組ガイド（Ｅｌｅｃｔｒｏｎｉｃ  Ｐｒｏｇｒａｍ  Ｇｕｉｄｅ：ＥＰＧ）サービスが商用化されており、セットトップボックス（Ｓｅｔ  Ｔｏｐ  Ｂｏｘ：ＳＴＢ）などのようなデジタル放送受信機は、ＥＰＧ情報を受信した後、これをテレビなどの外部連結機器の画面を介して出力することによって、ユーザが所望の放送番組情報を容易に検索できるようにしている。
【０００６】
図１は、従来技術に係る放送コンテンツ関連補充情報を検索するシステムを概略的に示した図である。
【０００７】
第１の先行技術として、特許文献１は、ラジオ聴取者又はテレビ視聴者が、リアルタイムに受信される放送番組に関する補充情報を受ける構成を開示している。
【０００８】
図１に示した従来技術に係る放送番組システムは、放送受信機１０、ユーザ端末２０、放送局３０、チャンネル情報サーバ４０及びウェブサーバ５０を含む。
【０００９】
放送受信機１０は、放送局３０から伝送される放送コンテンツを受信する、例えば、ＴＶである。
【００１０】
チャンネル情報サーバ４０は、放送局３０から放送される放送コンテンツ別に補充情報に関するＵＲＬ情報を提供する。視聴者が現在放送されているコンテンツに関する補充情報を検索したいときは、ユーザ端末２０を用いてチャンネル情報サーバ４０に補充情報に関するＵＲＬ情報を要求する。
【００１１】
チャンネル情報サーバ４０は、チャンネル及び放送番組の主題別ＵＲＬ情報をユーザ端末２０に伝送し、ユーザ端末２０は、前記主題別ＵＲＬ情報を用いてウェブサーバ５０から補充情報を検索する。
【００１２】
図２は、一般的なＩＰＴＶ放送サービスシステムの概略的な構成のブロック図である。
【００１３】
図２を参照すれば、一般的なＩＰＴＶ放送サービスシステムは、放送事業者６０、ＩＰＴＶ放送システム７０及びユーザ端末８０を含む。
【００１４】
ＩＰＴＶ放送システム７０は、放送コンテンツを格納するための格納サーバと、ユーザ端末８０に放送コンテンツを伝送し、リターンチャンネルから入力されるユーザ要求信号を処理するための制御サーバと、放送コンテンツを分配するための分配サーバとを含む。
【００１５】
ＩＰＴＶ放送システム７０は、コンテンツ提供者（Ｃｏｎｔｅｎｔ  Ｐｒｏｖｉｄｅｒ：ＣＰ）又は放送事業者６０から受けた番組コンテンツを管理し、ＣＤＮ（Ｃｏｎｔｅｎｔ  Ｄｅｌｉｖｅｒｙ  Ｎｅｔｗｏｒｋ）などを介して番組コンテンツを加入者と隣接した場所に分配し、放送／録画／再生サービスを提供する。このとき、コンテンツ提供者又は放送事業者６０から受けた番組コンテンツには関連する付加情報が含まれることがある。
【００１６】
ユーザ端末８０は、インターネット放送サービスに用いるための装置であって、一般的には、ＴＶ８１、セットトップボックス８２及びリモコン８３で構成される。ＴＶ８１は、ＩＰＴＶ放送システム７０から受信した放送コンテンツを出力し、リモコン８３を介して入力されたユーザ要求信号をセットトップボックス８２のリターンチャンネルを介してＩＰＴＶ放送システム７０に伝達する。
【００１７】
一方、第２の先行技術として、特許文献２には、「ＥＰＧ基盤のデータ放送システム及び方法とその番組ソースを格納した記録媒体」という名称の発明が開示されている。
【００１８】
特許文献２は、データ放送に関するもので、データベースに放送番組上映時刻、芸能人のプロフィール及び商品情報を構築し、各検索モジュールが検索した結果をデータ放送用カルーセルで再構成して出力する。提供されたデータは、データチャンネルで視聴者が選択した芸能人情報及び商品情報である。
【００１９】
第３の先行技術として、特許文献３には、「テレビ番組に関する情報を検索する方法及びシステム」という名称の発明が開示されている。
【００２０】
特許文献３は、視聴中の番組と関連したウェブサイトへのリンクを提供し、前記ウェブサイトから番組に関連するテキスト情報、オーディオ情報、ビデオ情報及びアプリケーション情報のうち少なくとも一つの情報を検索する構成を開示している。ここで、ウェブサイトのリンクは、視聴中のテレビ番組に対応する電子番組ガイド（ＥＰＧ）からタグ、検索エンジン、ウェブサイトアドレスのうち少なくとも一つを選択する方式を用いることができる。
【００２１】
第４の先行技術として、特許文献４には、「放送又はレコーディングされた番組をワールドワイドウェブ上の情報を使用して拡張させるシステム及び方法」という名称の発明が開示されている。
【００２２】
特許文献４は、特定番組と関連した複数の主題を選択し、前記複数の主題に対するユーザ端末がアクセス可能な複数のサーバのうち一つのサーバに位置するハイパーリンクを設定することによって、番組タイミングファイルを格納する構成を開示している。ここで、前記ハイパーリンクは、選択された各主題に対して、番組内に時間区間を定義した後、番組タイミングファイルをその時間区間と関連づけて格納し、これによって、ネットワークに連結されたユーザ端末が前記ハイパーリンクと関連した目的地アドレスを検索できるようにすることを開示している。
【００２３】
また、特許文献４は、レコーディングされた番組の場合も、世界標準時を用いてレコーディングされた番組を放送したチャンネルサーバから主題と関連した情報を検索することが可能であることを開示している。
【００２４】
上述したように、放送端末で番組と関連した付加情報及び主題の検索を提供する技術が第１〜第４の先行技術に開示されてはいるが、検索の利便性を向上させるために再生中の番組と関連した多様なキーワードを容易に入力する技術は開示されていない。
【先行技術文献】
【特許文献】
【００２５】
【特許文献１】韓国公開特許第２００４―０００５９４６号
【特許文献２】韓国公開特許第２００２―００８１７６７号
【特許文献３】韓国公開特許第２００４―０１０１２３５号
【特許文献４】韓国公開特許第２００３―００９６３６２号
【発明の概要】
【発明が解決しようとする課題】
【００２６】
上述した従来技術の問題点を解決するために、本発明は、現在放送中のコンテンツと関連した推薦キーワード及びリアルタイム人気検索語を自動的に補完された状態で提供することによって、リモコンのように入力手段が制限される環境でインターネットを容易に検索できるようにする方法及び装置を提供する。
【００２７】
また、本発明は、現在放送中の番組又は現在放送中の他のチャンネルの番組に対する他人の検索結果を活用できるようにする方法及び装置を提供する。
【課題を解決するための手段】
【００２８】
前記のような目的を達成するために、本発明の一実施形態に係る双方向放送端末で番組放送中に検索サービスを提供する方法は、ユーザ入力手段のキー入力に応答し、前記双方向放送端末の画面に前記検索サービスを提供するための検索領域を提供し、前記検索領域に、放送中の番組ＩＤに基づいて代表キーワードが検索語として自動的に入力される第１の検索ウィンドウを提供し、前記検索領域に、前記第１の検索ウィンドウと隣接し、視聴中の番組と関連した補完された形態の検索語が自動的に入力される第２の検索ウィンドウを提供し、前記検索領域に、前記第１の検索ウィンドウ及び前記第２の検索ウィンドウのうち少なくとも一つと隣接し、リアルタイム急上昇検索語（ｔｈｅ  ｒｅａｌ−ｔｉｍｅ  ｈｏｔ−ｔｏｐｉｃ  ｓｅａｒｃｈ  ｗｏｒｄ）が自動的に入力される第３の検索ウィンドウを提供すること、を含み、前記第２の検索ウィンドウ及び前記第３の検索ウィンドウには、該当検索ウィンドウが選択される場合、当該検索ウィンドウに表示される検索語の変形語が含まれる拡張ポップアップウィンドウが提供される。
【００２９】
また、前記検索サービス提供方法は、前記第１の検索ウィンドウ、前記第２の検索ウィンドウ及び前記第３の検索ウィンドウのうちいずれか一つに自動的に入力される検索語が選択された場合、前記選択された検索語を検索エンジンに伝送し、前記検索エンジンから検索結果を受信し、この検索結果を前記検索領域に表示することをさらに含めてもよい。
【００３０】
また、前記第２の検索ウィンドウに自動的に入力される検索語又は前記第３の検索ウィンドウに自動的に入力される検索語は、ローリング方式で変更してもよい。
【００３１】
また、前記拡張ポップアップウィンドウは、前記第２の検索ウィンドウ又は第３の検索ウィンドウに最終的に表示された検索語の変形語を含めてもよい。
【００３２】
また、前記検索領域は、前記双方向放送端末の画面上での透明度調節及び前記双方向放送端末の画面上での位置調節が可能であることが望ましい。
【００３３】
前記のような目的を達成するために、少なくとも一つのコンピュータ構成要素を介して実行可能であり、双方向放送端末に番組放送中に検索サービスを提供するためのプログラム命令語を含むコンピュータプログラムを記録したコンピュータ読取可能な記録媒体である。前記少なくとも一つのコンピュータ構成要素は、ユーザ入力手段のキー入力に応答し、前記双方向放送端末の画面に検索サービスを提供するための検索領域を提供し、前記検索領域に放送中の番組ＩＤに基づいて代表キーワードが検索語として自動的に入力される第１の検索ウィンドウを提供し、前記検索領域に、前記第１の検索ウィンドウと隣接し、視聴中の番組と関連した補完された形態の検索語が自動的に入力される第２の検索ウィンドウを提供し、前記検索領域に前記第１の検索ウィンドウ及び前記第２の検索ウィンドウのうち少なくともと隣接し、リアルタイム急上昇検索語が自動的に入力される第３の検索ウィンドウを提供し、前記第２の検索ウィンドウ及び前記第３の検索ウィンドウには、該当検索ウィンドウが選択される場合、当該検索ウィンドウに表示される検索語の変形語が含まれる拡張ポップアップウィンドウが提供される。
【００３４】
前記のような目的を達成するために、本発明の他の実施形態に係る番組を放送中の双方向放送端末に検索サービスを提供する検索サービス提供装置において、検索エンジンによって収集された検索ログデータを格納する検索ログデータベースと、前記検索ログデータに基づいて放送中の番組と関連したキーワード及び前記番組と関連したキーワードの変形語を生成する推薦検索語抽出部と、前記検索ログデータに基づいてリアルタイム急上昇検索語及び前記リアルタイム急上昇検索語の変形語を生成するリアルタイム検索語抽出部と、前記双方向放送端末から前記検索サービス要求を受信した際に、前記生成された番組関連キーワード及び前記リアルタイム急上昇検索語が自動的に入力される複数の検索ウィンドウを含む検索領域を前記双方向放送端末に提供する検索領域提供部と、を含み、前記検索ウィンドウが選択された場合、自動的に入力される前記番組関連キーワード又は前記リアルタイム急上昇検索語の変形語を含む拡張ポップアップウィンドウが提供される。
【００３５】
また、前記複数の検索ウィンドウは、前記放送中の番組の代表キーワードが自動的に入力される第１の検索ウィンドウと、前記第１の検索ウィンドウと隣接し、前記番組関連キーワードが自動的に入力される第２の検索ウィンドウと、前記第１の検索ウィンドウ及び前記第２の検索ウィンドウのうち少なくとも一つと隣接し、前記リアルタイム急上昇検索語が自動的に入力される第３の検索ウィンドウと、を含むことが望ましい。
【００３６】
また、前記検索領域提供部は、前記第１の検索ウィンドウに入力されるテキストを含む変形語を提供する拡張ポップアップウィンドウを提供してもよい。
【００３７】
また、前記第１の検索ウィンドウに入力されたテキストは、検索語の初声を含むことが望ましい。
【００３８】
また、前記検索領域提供部は、前記第２の検索ウィンドウに自動的に入力されるキーワード及び前記第３の検索ウィンドウに自動的に入力される前記リアルタイム急上昇検索語をローリング方式で変更することが望ましい。
【００３９】
前記のような目的を達成するための具体的な事項は、添付の図面と共に詳細に説明する各実施形態を参照すれば明確になるだろう。
【００４０】
本発明は、以下で開示される各実施形態によって限定されるものでなく、互いに異なる多様な形態で構成可能であり、本実施形態は、本発明の属する技術分野で通常の知識を有する者に対して発明を理解させるために提供されるものである。
【発明の効果】
【００４１】
本発明の番組放送中に検索サービスを提供する方法及び装置の課題解決手段のうち一つによれば、現在放送中の番組と関連した推薦キーワードを自動的に補完された状態で提供することによって、リモコンのように入力手段が制限される環境でインターネットを介して容易に検索を行うことができる。
【００４２】
また、リアルタイム急上昇検索語を自動的に補完された状態で提供することによって、現在放送中の番組又は現在放送中の他のチャンネルの番組に対する他人の検索結果を活用することができる。
【００４３】
このように、放送以前に生成された推薦キーワードと放送時に発生したリアルタイム急上昇検索語を共に提供し、ユーザの検索意図により符合する検索語を提供することができる。
【００４４】
また、前記推薦キーワードとリアルタイム急上昇検索語に対する変形語も補完された状態で提供されることによって、リモコンによる文字入力を最少化し、快適な検索環境をユーザに提供できる。
【図面の簡単な説明】
【００４５】
【図１】従来技術に係る番組コンテンツに関連する補充情報を検索するシステムの構成を概略的に示すブロック図である。
【図２】一般的なＩＰＴＶ放送サービスシステムの構成を概略的に示すブロック図である。
【図３】本発明の一実施形態に係る番組放送中に検索サービスを提供するシステムの構成の概要を示すブロック図である。
【図４】本発明の一実施形態に係る番組放送中に検索サービスを提供する装置の構成を示すブロック図である。
【図５】本発明の一実施形態に係る番組別推薦キーワードを生成する推薦検索語抽出部の構成を示すブロック図である。
【図６】本発明の一実施形態に係る番組放送中に検索サービスを提供する装置を介してＴＶ画面に表示される検索領域を示す図である。
【図７】本発明の一実施形態に係る番組放送中に検索サービスを提供する装置を介してＴＶ画面に表示される検索領域を示す図である。
【図８】本発明の一実施形態に係る番組放送中に検索サービスを提供する装置を介してＴＶ画面に表示される検索領域を示す図である。
【図９】本発明の一実施形態に係る番組放送中に検索サービスを提供する装置を介してＴＶ画面に表示される検索領域を示す図である。
【図１０】本発明の一実施形態に係る番組放送中に検索サービスを提供する装置を介してＴＶ画面に表示される検索領域を示す図である。
【図１１】本発明の一実施形態に係る番組放送中に検索サービスを提供する方法を示すフローチャートである。
【発明を実施するための形態】
【００４６】
以下、添付した図面を参照して、本発明の実施例を詳細に説明する。
【００４７】
本発明は、多様な形態で実現可能であり、ここで説明する実施形態によって限定されるものでない。
【００４８】
そして、図面では、本発明を明確に説明するために、説明と関係のない部分は省略し、明細書全体にわたって類似した部分には類似した図面符号を付した。
【００４９】
参考までに、明細書全体で、一つの部分が他の部分と「連結」されているというとき、これは、「直接的または物理的に連結」されている場合だけでなく、その中間に他の素子を挟んで「電気的に連結」されている場合も含む。
【００５０】
また、一つの部分が一つの構成要素を「含む」というとき、これは、特別に反対の記載がない限り、他の構成要素を除外するのでなく、他の構成要素をさらに含むことができることを意味する。
【００５１】
以下、添付した図面を参照して、本発明の実施形態を詳細に説明する。
【００５２】
参考までに、本発明の実施形態では、双方向放送端末としてＩＰＴＶ（以下、ＴＶと称する。）を使用するが、本発明が必ずしもこれに限定されることはなく、放送システムに使用される双方向通信が可能な端末であれば、本発明の双方向放送端末の範疇に含まれるものとして理解しなければならない。
【００５３】
本発明の一実施形態は、リモコンのような制限的入力手段が用いられる環境でインターネット検索を容易に行うために、現在放送中の番組と関連した検索語（代表キーワード、番組関連検索語）及びリアルタイム急上昇検索語が自動的に入力される検索ウィンドウを含む検索領域をＴＶ画面に提供する。
【００５４】
これによって、ＴＶを用いるユーザは、画面に表示された現在放送中の番組と関連した検索語及び他人の検索結果であるリアルタイム急上昇検索語をリモコンなどを用いて選択することによって、選択した検索結果をＴＶで照会することができる。
【００５５】
図３は、本発明の一実施形態に係る番組放送中に検索サービスを提供するシステムの構成の概要を示すブロック図である。
【００５６】
本発明の一実施形態に係るＴＶ視聴中に検索サービスを提供するシステムは、放送事業者サーバ３１０、ＩＰＴＶ放送システム３２０、ユーザ端末３３０及び検索サービス提供部３４０を含む。
【００５７】
図３に示したシステムの構成要素をより詳細に説明すれば、まず、放送事業者サーバ３１０は、多様な放送コンテンツを提供する。ＩＰＴＶ放送システム３２０は、放送コンテンツを格納するための格納サーバと、リターンチャンネルから入力されるユーザ要求信号（番組推薦要求信号、付加情報要求信号など）を処理するためのリターンパスサーバと、放送コンテンツを分配するための分配サーバと、を含む。
【００５８】
ここで、放送コンテンツは、番組編成計画に基づいて公衆波放送で提供する放送番組やケーブル放送で提供する放送番組、及び通信企業で提供するＶＯＤサービスを含み、以下では、「ＴＶ番組」または「番組」と称する。
【００５９】
ユーザ端末３３０は、インターネット放送サービスを用いるための装置であって、一般的には、ＴＶ３３１、セットトップボックス３３２及びユーザ入力手段であるリモコン３３３を含む。ユーザ端末３３０は、ＩＰＴＶ放送システム３２０から受信した放送コンテンツを再生し、リモコン３３３を介して入力されたユーザ要求信号をセットトップボックス３３２のリターンチャンネルを介してＩＰＴＶ放送システム３２０に伝達する。
【００６０】
参考までに、ユーザ端末３３０は、ＩＰセットトップボックスが内蔵されたＴＶ、ユーザのＴＶと接続されたＩＰセットトップボックス、デスクトップコンピュータ、ノートブックコンピュータ又は個人携帯用端末のうちいずれか一つの端末である。
【００６１】
ここで、ＩＰセットトップボックスは、ＣＰＵ、メディアプロセッサ、フラッシュラム（Ｆｌａｓｈ  ＲＡＭ）、イーサネット（登録商標）（Ｅｔｈｅｒｎｅｔ（登録商標））モジュールなどのＳＴＢ（Ｓｅｔ−Ｔｏｐ  ＢＯＸ）ハードウェアで構成されたハードウェア階層と、デバイスドライバ及びオペレーションシステムなどのシステムソフトウェアを含むシステムソフトウェア階層と、ジャバ仮想マシン（Ｊａｖａ  （登録商標）Ｖｉｒｔｕａｌ  Ｍａｃｈｉｎｅ：ＪＶＭ（登録商標））、受信制限システム（Ｃｏｎｄｉｔｉｏｎａｌ  Ａｃｃｅｓｓ  Ｓｙｓｔｅｍ：ＣＡＳ）モジュール、デジタル著作権管理（Ｄｉｇｉｔａｌ  Ｒｉｇｈｔｓ  Ｍａｎａｇｅｍｅｎｔ：ＤＲＭ）モジュール、ストリーミングプロトコル（Ｓｔｒｅａｍｉｎｇ  Ｐｒｏｔｏｃｏｌ、ＲＴＰ、ＲＴＳＰ）を搭載したミドルウェア階層と、ＭＰＥＧ２、ＭＰＥＧ４、ＭＰＥＧ７、Ｈ．２６４、ＷＭＶ―９などの多様なコーデック（ＣＯＤＥＣ）をサポートし、ＩＰＴＶサービスチャンネルを選択するための電子番組ガイド（Ｅｌｅｃｔｒｏｎｉｃ  Ｐｒｏｇｒａｍ  Ｇｕｉｄｅ：ＥＰＧ）を含むアプリケーション階層と、を含んで構成された４階層からなる。このとき、加入者のＩＰセットトップボックスには、ＩＰｖ４アドレス又はＩＰｖ６アドレスが割り当てられる。
【００６２】
検索サービス提供部３４０は、検索エンジンを備えたインターネットポータルサイトを提供する。多数のユーザがインターネットポータルサイトに接続してＴＶ番組関連の検索語を検索する場合、検索サービス提供部３４０は、多数のユーザが検索した検索語ログデータを検索ログデータベースに格納し、この検索語ログデータに基づいて各ＴＶ番組に対する検索語プールを生成する検索語を収集した後、検索語プールからユーザが現在視聴中の番組と関連してユーザに有用なものと予測される推薦検索語（キーワード）及び推薦検索語の変形語（類似語）を生成して提供する。
【００６３】
ここで、推薦検索語は、現在放送中の番組の代表キーワード及び現在放送中の番組と関連した検索語を含む。
【００６４】
また、検索サービス提供部３４０は、リアルタイム急上昇検索語及びリアルタイム急上昇検索語の変形語（類似語）を提供する。リアルタイム急上昇検索語は、ＴＶ番組と関連したものであるか、又はＴＶ番組と関連していないものであるが、一般的に、番組放送の前後に該当番組と関連した検索語が急上昇する場合が多い。
【００６５】
参考までに、リアルタイム急上昇検索語は、検索サービス提供部３４０に含まれた検索エンジンによって提供されたり、検索サービス提供部３４０と連動した別途の検索サーバ３５０で提供される。
【００６６】
また、検索サービス提供部３４０は、ユーザ入力手段であるリモコン３３３のキーのうちいずれか一つのキー入力に応答し、ユーザ端末３３０に番組放送中の検索サービスのための検索領域を提供する。
【００６７】
ここで、検索領域は、現在放送中の番組の代表キーワードが検索語として自動的に入力される第１の検索ウィンドウと、第１の検索ウィンドウと隣接し、現在放送中の番組と関連した検索語が補完された形態で自動的に入力される第２の検索ウィンドウと、第１の検索ウィンドウ及び第２の検索ウィンドウのうち少なくとも一つと隣接し、リアルタイム急上昇検索語が自動的に入力される第３の検索ウィンドウと、を含む。
【００６８】
参考までに、第２の検索ウィンドウに補完された形態で自動的に入力される検索語及び第３の検索ウィンドウに自動的に入力されるリアルタイム急上昇検索語は、ローリング方式で変更される。また、ユーザによって第２の検索ウィンドウ及び第３の検索ウィンドウが選択される場合、第２の検索ウィンドウ及び第３の検索ウィンドウには、表示された検索語の変形語（類似語）が含まれる拡張ポップアップウィンドウが提供される。また、検索領域は、ＴＶ３３１の画面に表示されるとき、透明度調節や位置調節を通して、ユーザが視聴中の番組を遮る不便さを防止してもよい。
【００６９】
したがって、ユーザが特定ＴＶ番組の視聴中にリモコン３３３のような入力手段の所定のキーを押せば、検索サービス提供部３４０は、現在放送中の番組を把握し、該当番組と関連した代表キーワード及び推薦キーワードを提供する。そして、ユーザは、このように推薦されたキーワードのうち特定キーワードを選択して検索を行うことによって、リモコン３３３のように入力手段が制限される環境でも現在放送中の番組と関連した情報のインターネット検索を容易に実行することができる。
【００７０】
次に、図４を参照して、本発明の一実施形態に係る番組放送中に検索サービスを提供する装置の構成を詳細に説明する。
【００７１】
図４は、本発明の一実施形態に係る番組放送中に検索サービスを提供する装置の構成を示すブロック図である。
【００７２】
本発明の一実施形態に係る番組放送中に検索サービスを提供する装置は、検索ログデータベース３４１（以下、データベースは「ＤＢ」という）、推薦検索語抽出部３４２、リアルタイム検索語抽出部３４３、検索領域提供部３４４及び検索エンジン３４５を含む。
【００７３】
参考までに、本発明の実施例に係る図４に示した各構成要素は、ＦＰＧＡ（Ｆｉｅｌｄ  Ｐｒｏｇｒａｍｍａｂｌｅ  Ｇａｔｅ  Ａｒｒａｙ）又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のようなハードウェア構成要素を意味し、所定の役割を行う。
【００７４】
しかし、「各構成要素」は、ソフトウェア又はハードウェアに限定する意味ではなく、アドレッシング可能な記憶装置又は記憶媒体に存在するように構成したり、一つ又はそれ以上のプロセッサで実行するように構成することも可能である。
【００７５】
したがって、一例として、構成要素は、各ソフトウェア構成要素、各オブジェクト指向ソフトウェア構成要素、各クラス構成要素及び各タスク構成要素などのような構成要素、各プロセス、各関数、各属性、各プロシージャ、各サブルーチン、番組コードの各セグメント、各ドライバ、ファームウェア、マイクロコード、回路、データ、データベース、各データ構造、各テーブル、各アレイ及び各変数を含む。
【００７６】
各構成要素及び各該当構成要素内で提供される機能は、より少ない数の構成要素で結合されたり、追加の各構成要素にさらに分離される。
【００７７】
まず、検索ログＤＢ３４１は、検索エンジン３４５から送信された検索ログデータ及び特定検索語に対応する関連検索語（例えば、特定ＴＶ番組を検索したユーザが検索した他の検索語、特定ＴＶ番組名と重複又は連続する検索語など）を格納する。
【００７８】
参考までに、検索ログＤＢ３４１は、特定検索語に対応する関連検索語だけでなく、放送事業者などによって直接入力されたデータ、予め収集された番組情報、該当番組と同時に伝送されるキャプション／字幕情報などを総合して検索語プールを構成してもよい。
【００７９】
推薦検索語抽出部３４２は、検索ログＤＢ３４１に基づいて番組別の推薦キーワード及び推薦キーワードの変形語（類似語）を生成する。以下、図５を参照して推薦検索語抽出部３４２の構成を詳細に説明する。
【００８０】
図５は、本発明の一実施形態に係る番組別の推薦キーワード及び推薦キーワードの変形語（類似語）を生成する推薦検索語抽出部３４２の構成を示すブロック図である。
【００８１】
図５を参照すれば、本発明の一実施形態に係る推薦検索語抽出部３４２は、視聴予想者抽出部３４２ａ、推薦キーワード判断部３４２ｂ、ＴＶ番組―キーワード時間同期化部３４２ｃ、シードキーワードＤＢ３４２ｄ、視聴予想者ＤＢ３４２ｅ及びＴＶ番組別推薦キーワードＤＢ３４２ｆを含む。
【００８２】
推薦検索語抽出部３４２は、通常の検索サーバ３５０又は検索エンジン３４５と互いに連動して動作してもよい。本発明の一実施形態に係る推薦検索語抽出部３４２は、検索サーバ３５０又は検索エンジン３４５に伝送された検索クエリのログを格納した検索ログＤＢ３４１の情報を活用する。
【００８３】
特定のＴＶ番組がユーザ端末３３０上で再生される場合、統計的に、放送時間の前後にわたって放送番組に関するキーワード検索がユーザ端末３３０によって集中的に発生する。検索クエリには、検索ログＤＢ３４１に検索語、検索時刻及びユーザ識別番号が含まれる。
【００８４】
以下、推薦検索語抽出部３４２の動作について詳細に説明する。
【００８５】
推薦検索語抽出部３４２の視聴予想者抽出部３４２ａは、検索エンジン３４５及びシードキーワードＤＢ３４２ｄと連動して動作する。検索エンジン３４５は、ウェブ検索を提供する外部の検索サーバ３５０に取り替えてもよい。
【００８６】
シードキーワードＤＢ３４２ｄには、特定ＴＶ番組と関連した基本的なキーワード、すなわち、シードキーワードが放送時間帯とマッチングされて格納されている。例えば、シードキーワードは、前記ＴＶ番組の名称又はその変形語になる。
【００８７】
シードキーワードは、カテゴリ別に分けられ、各カテゴリに異なる加重値が与えられて格納される。例えば、ドラマカテゴリでは、第１のカテゴリは特定のテレビ番組の題目及び配役名を含み、第２のカテゴリは俳優名及び製作陣を含めてもよい。ここで、検索確率のより高い第１のカテゴリは、第２のカテゴリより高い加重値を有してもよい。
【００８８】
視聴予想者抽出部３４２ａは、ＴＶ番組放送時間の前後にわたった所定の時間内に検索サーバ３５０又は検索エンジン３４５が受信した検索語のうち、シードキーワードＤＢ３４２ｄに格納されたシードキーワードがあるかどうかを調査し、前記シードキーワードを検索したユーザの識別番号を抽出する。
【００８９】
参考までに、抽出されたユーザ識別番号に該当する視聴者は視聴予想者として分類されるが、しきい値回数以上のシードキーワードを検索したユーザのみを視聴予想者として分類してもよい。
【００９０】
また、検索ウィンドウに自動補完機能が提供される場合は、自動補完機能により生成される検索語を選択するユーザは視聴予想者として分類されるが、検索サーバ３５０又は検索エンジン３４５により提供されるキーワード（例えば、人気検索語、推薦検索語、リアルタイム急上昇検索語）を選択して検索したユーザは視聴予想者から除外してもよい。
【００９１】
上述したように、視聴予想者が抽出されれば、視聴予想者のユーザ識別番号は視聴予想者ＤＢ３４２ｅに格納される。視聴予想者ＤＢ３４２ｅには、ユーザ識別番号が特定放送番組又は特定放送番組のシリーズやグループとマッチングされて格納される。
【００９２】
一方、推薦キーワード判断部３４２ｂは、視聴予想者ＤＢ３４２ｅを参照して該当ＴＶ番組の放送時間帯に視聴予想者が検索した検索語を収集する。また、推薦キーワード判断部３４２ｂは、収集された検索語が所定の条件を満足する場合、該当収集された検索語をキーワードとして判断し、該当収集された検索語をキーワードセットに追加する。前記所定の条件としては、視聴予想者の検索語のうち該当ＴＶ番組との相関度がしきい値以上であることが挙げられる。
【００９３】
推薦キーワード判断部３４２ｂは、上述した条件を満足するキーワードを該当ＴＶ番組に対する推薦キーワードとして判断し、該当ＴＶ番組に対するキーワードセットを生成する。
【００９４】
ＴＶ番組―キーワード時間同期化部３４２ｃは、前記キーワードセットに含まれたキーワードをＴＶ番組の再生時間帯別にマッチングする。例えば、６０秒間隔で各時間帯別キーワードの検索回数に基づいて各時間帯別に比率の大きいキーワードを選定する。
【００９５】
このとき、予め定められた適切でないキーワードをフィルタリングしてもよい。例えば、生放送、再放送、視聴、編成、放映時間などのようなキーワードを不適切なキーワードとして除去してもよい。参考までに、検索ログＤＢ３４１には推薦キーワードとして選定されたキーワードに対する検索時刻情報も共に格納されているので、ＴＶ番組の放送時間帯別にキーワードセットに含まれたキーワードをマッチングすることにより同期化してもよい。
【００９６】
最終的に、ＴＶ番組別にマッチングされたキーワードは、ＴＶ番組別推薦キーワードＤＢ３４２ｆに格納される。したがって、同一のＴＶ番組の後続放送コンテンツが放映されるとき、該当番組の推薦キーワードがリアルタイムに提供される。上述したような推薦検索語抽出部３４２の構成及び動作は、例示のためのものに過ぎず、その他の多様なアルゴリズムによってＴＶ番組別推薦キーワードを生成してもよい。
【００９７】
一方、リアルタイム検索語抽出部３４３は、リアルタイム急上昇検索語及びＴＶ番組と関連したリアルタイム急上昇検索語を抽出し、リアルタイム急上昇検索語の変形語（類似語）を生成する。
【００９８】
このとき、リアルタイム急上昇検索語は、現在インターネットポータルサイトなどで提供されている人気検索語と同一又は類似の多数のアルゴリズムを使用して抽出される。また、ＴＶ番組と関連した急上昇検索語は、検索サーバ３５０又は検索エンジン３４５で処理した検索語のうちＴＶ番組と関連した検索語を放送事業者サーバ３１０から提供された番組編成表データ、番組関連情報などに基づいて分類した後、検索回数に基づいてＴＶ番組と関連した人気検索語を抽出してもよい。
【００９９】
リアルタイム急上昇検索語は、放送中の番組と独立的に生成されるが、現在放送中の番組を視聴する視聴者の検索行為によって生成されるので、リアルタイム急上昇検索語は、上述した番組関連推薦キーワードが備わっていないリアルタイム検索動向を補完することができる。
【０１００】
参考までに、本発明の実施形態では、リアルタイム検索語抽出部３４３でリアルタイム急上昇検索語を提供する場合を説明したが、検索サービス提供部３４０と連動する別途の検索サーバ３５０を介してリアルタイム急上昇検索語を提供してもよい。
【０１０１】
一方、検索領域提供部３４４は、ユーザ入力手段であるリモコン３３３のキーのうちいずれか一つのキーの入力に応答し、ユーザ端末３３０に番組放送中の検索サービスのための検索領域を提供する。
【０１０２】
ここで、検索領域は、現在放送中の番組の代表キーワードが検索語として自動的に入力される第１の検索ウィンドウと、第１の検索ウィンドウと隣接し、現在放送中の番組と関連したキーワードが補完された形態で自動的に入力される第２の検索ウィンドウと、を含む。また、検索領域は、第１の検索ウィンドウ及び第２の検索ウィンドウのうち少なくとも一つと隣接し、リアルタイム急上昇検索語が自動的に入力される第３の検索ウィンドウを含む。
【０１０３】
検索領域についてより詳細に説明すれば、第１の検索ウィンドウには、現在放送中の番組の代表キーワード（例えば、現在放送中の番組の題目）が自動的に入力され、第２の検索ウィンドウには、現在放送中の番組と関連したキーワードが補完された形態で自動的に入力される。第２の検索ウィンドウに自動的に入力される補完された形態のキーワードは、外部の検索サーバ３５０又は検索エンジン３４５によって収集された検索ログのうち現在放送中の番組と関連して収集されたキーワードから選別されたものである。
【０１０４】
また、第３の検索ウィンドウにはリアルタイム急上昇検索語が自動的に入力されるが、上述したように、検索サービス提供部３４０は、検索サーバを備えたインターネットポータルサイトに接続したユーザのリアルタイム検索結果を反映して、リアルタイム急上昇検索語を第３の検索ウィンドウに自動的に入力する。
【０１０５】
参考までに、第２の検索ウィンドウに自動的に入力された検索語及び第３の検索ウィンドウに自動的に入力された検索語はローリング方式で変更され、ユーザによって入力手段を介して第１の検索ウィンドウ、第２の検索ウィンドウ及び第３の検索ウィンドウが選択される場合、最終的に表示された検索語の変形語（類似語）が含まれた拡張ポップアップウィンドウが提供される。
【０１０６】
このとき、拡張ポップアップウィンドウの変形語（類似語）は、推薦キーワード及びリアルタイム急上昇検索語のテキストの一部を共有する他の検索語を含んでもよい。
【０１０７】
以下、図６〜図１０を参照して本発明の実施形態に係る検索領域を説明することにし、現在視聴中のＴＶ番組は「ＫＢＳ放送局」で放映する「ハッピーサンデー１泊２日」であると仮定する。
【０１０８】
図６は、本発明の一実施形態に係る番組放送中に検索サービスを提供する装置を介してＴＶ画面に表示された検索領域を示した図である。
【０１０９】
本発明の一実施形態に係る番組放送中に検索サービスを提供する検索領域６００は、現在放送中の番組（ＫＢＳ  ハッピーサンデー  １泊２日）の代表キーワード（ハッピーサンデー）が入力された第１の検索ウィンドウ６１０と、現在放送中の番組と関連した検索語（１泊２日  イ・スンギ）が補完された形態で自動的に入力された第２の検索ウィンドウ６２０と、リアルタイム急上昇検索語（米国大統領選挙）が自動的に入力された第３の検索ウィンドウ６３０と、を含む。
【０１１０】
この他にも、検索領域６００は、検索語の入力を容易にするための文字変換キー６４０をさらに含み、検索結果を表示したり、推薦ＴＶ番組などを表示する検索結果ウィンドウ６５０をさらに含めてもよい。
【０１１１】
このとき、検索領域６００は、図６に示すように、ＴＶ画面の全体を占めている現在放送中の番組にオーバーレイされ、ＴＶ画面の下端にバーの形態で配置してもよく、検索領域６００が現在放送中の番組を遮る不便さを防止するために検索領域６００の透明度を調節してもよい。
【０１１２】
このために、検索領域６００をユーザ端末３３０で出力可能な画面形式に処理する画面処理部（図示せず）が検索サービス提供部３４０に追加で含まれ、これと異なって、画面処理部（図示せず）がユーザ端末３３０内に存在するように構成してもよい。
【０１１３】
参考までに、図６では、検索領域６００がＴＶ画面の下端にバーの形態で配置した場合を説明したが、本発明の実施形態に係る検索領域は、前記画面処理部（図示せず）によりＴＶ画面の下端でない左側、右側及び上側のいずれかの部分に配置するようにしてもよい。
【０１１４】
図７は、本発明の他の実施形態に係る番組放送中に検索サービスを提供する装置を介してＴＶ画面に表示された検索領域を示した図である。
【０１１５】
図７には、図６に示した検索領域６００の他に、所定のサービスを提供するアイコンウィンドウ７１０が第１の検索ウィンドウ６１０の上端に追加されている。このアイコンウィンドウ７１０は、メニュータイプでないアイコン形態に大きさを最小化し、ユーザがアイコンを選択したとき、各アイコンに対応するサービスをユーザに提供することができる。
【０１１６】
例えば、アイコンウィンドウ７１０において、番組ガイドアイコン７１１が選択される場合、番組ガイド画面が別途にオープンされたり、検索領域６００内の検索結果ウィンドウ６５０に番組ガイドに関する内容が表示される。
【０１１７】
また、第１の検索ウィンドウ６１０に第一子音が入力される場合、入力された第一子音と関連した検索語を自動的に表す自動補完機能ウィンドウ７２０を提供してもよい。
【０１１８】
図８は、本発明の更に他の実施形態に係る番組放送中に検索サービスを提供する装置を介してＴＶ画面に表示された検索領域を示した図である。
【０１１９】
図８に示した検索領域６００は、第１の検索ウィンドウ６１０に入力された現在放送中の番組の代表キーワードを削除した後、検索したい検索語を第１の検索ウィンドウ６１０に入力する場合、補完された形態の特定の検索語の変形語が含まれた拡張ポップアップウィンドウ８１０が提供されることを表す。
【０１２０】
第１の検索ウィンドウ６１０に検索語を入力するとき、
「
2010146570.tif 000003
」
や
「
2010146570.tif 000004
」
のように第一子音又は音節と第一子音を混ぜて入力すれば、拡張ポップアップウィンドウ８１０は自動補完機能を提供する。
【０１２１】
参考までに、検索語の変形語が含まれた拡張ポップアップウィンドウ８１０は、検索領域６００から逸脱しないようにし、拡張ポップアップ８１０ウィンドウ内に表示される補完された形態の検索語の変形語の数は、ユーザが容易に認識できるように所定の数に制限される。図８では、拡張ポップアップウィンドウ８１０内に表示される検索語の変形語の数を最大９個に制限したが、これに限定されることはない。
【０１２２】
図９は、本発明の更に他の実施形態に係る番組放送中に検索サービスを提供する装置を介してＴＶ画面に表示された検索領域を示した図である。
【０１２３】
図９に示した検索領域６００の第２の検索ウィンドウ６２０には、現在放送中の番組と関連した検索語が補完された形態で自動的に入力されており、自動的に入力された検索語はローリング方式で変更される。
【０１２４】
ユーザがリモコン３３３の方向キーを用いて第２の検索ウィンドウ６２０にフォーカスを位置させ、リモコン３３３の確認キーを押せば、拡張ポップアップウィンドウ９１０が表示される。そして、拡張ポップアップウィンドウ９１０では、ローリング方式で変更される検索語のうち第２の検索ウィンドウ６２０に最終的に表示された検索語にフォーカスが位置するようになる。
【０１２５】
ユーザがリモコン３３３の方向キーを用いて拡張ポップアップウィンドウ９１０のうち所望の検索語にフォーカスを位置させた後、リモコン３３３の確認キーを押せば、選択された検索語の検索結果ページは、別途にオープンされたり、図６及び図７において説明したように検索領域６００内の検索結果ウィンドウ６５０に表示される。
【０１２６】
図１０は、本発明の更に他の実施形態に係る番組放送中に検索サービスを提供する装置を介してＴＶ画面に表示された検索領域を示した図である。
【０１２７】
図１０に示した検索領域６００の第３の検索ウィンドウ６３０には、リアルタイム急上昇検索語が補完された形態で自動的に入力されており、自動的に入力された検索語はローリング方式で変更される。
【０１２８】
ユーザがリモコン３３３の方向キーを用いて第３の検索ウィンドウ６３０にフォーカスを位置させ、リモコン３３３の確認キーを押せば、拡張ポップアップウィンドウ１０１０が表示される。そして、ローリング方式で変更される自動的に入力された検索語のうち、第３の検索ウィンドウ６３０に最終的に表示された検索語にフォーカスが位置するようになる。
【０１２９】
ユーザがリモコン３３３の方向キーを用いて拡張ポップアップ１０１０のうち所望の検索語にフォーカスを位置させ、リモコン３３３で所望の検索語を選択すれば、選択された検索語の検索結果ページは、別途にオープンされたり、図６及び図７において説明したように検索領域６００内の検索結果ウィンドウ６５０に表示される。
【０１３０】
参考までに、検索領域６００に含まれる各検索ウィンドウ６１０、６２０、６３０が互いに隣接して位置するので、現在放送中の番組と関連したキーワード及びリアルタイム急上昇検索語を一目で把握することができる。
【０１３１】
結局、本発明の一実施形態に係る番組放送中に検索サービスを提供する装置を介して、ユーザは、ＴＶを見ながら疑問に思ったこと、すなわち、現在放送中の番組と関連のある検索語やリアルタイム急上昇検索語などをＰＣ又はその他の媒体を介さずに、直ぐにＴＶ上でインターネットを検索することによって解決することができる。
【０１３２】
図１１は、本発明の一実施形態に係る番組放送中に検索サービスを提供する方法を示したフローチャートである。
【０１３３】
説明の便宜上、図３に示したシステムの構成及び図４に示した番組放送中に検索サービスを提供する装置の構成を参照して説明することにし、ユーザ端末３３０は、放送事業者サーバ３１０及びＩＰＴＶ放送システム３２０を介して番組を受信して放送すると仮定する。
【０１３４】
まず、検索領域提供部３４４は、ユーザ入力手段のキー入力に応答し、検索サービスを提供するための検索領域をユーザ端末３３０に提供する（ステップＳ１１０１）。
【０１３５】
ステップＳ１１０１の後、検索領域提供部３４４は、検索領域の第１の検索ウィンドウに、推薦検索語抽出部３４２から抽出した現在放送中の番組の代表キーワードを提供する（ステップＳ１１０２）。
【０１３６】
ステップＳ１１０２の後、検索領域提供部３４４は、検索領域の第１の検索ウィンドウと隣接した第２の検索ウィンドウに、推薦検索語抽出部３４２から抽出した現在放送中の番組と関連した補完された形態の検索語を提供する（ステップＳ１１０３）。
【０１３７】
このとき、第２の検索ウィンドウに自動的に入力された検索語は、検索サーバ３５０又は検索エンジン３４５によって選択された検索ログデータのうち、現在放送中の番組と関連して収集されたキーワードから選別されたもので、第２の検索ウィンドウに自動的に入力された検索語は、ローリング方式で変更されて表示される。
【０１３８】
ステップＳ１１０３の後、検索領域提供部３４４は、検索領域の第１の検索ウィンドウ及び第２の検索ウィンドウのうち一つと隣接した第３の検索ウィンドウに、リアルタイム検索語抽出部３４３から抽出したリアルタイム急上昇検索語を提供する（ステップＳ１１０４）。
【０１３９】
参考までに、第２の検索ウィンドウ及び第３の検索ウィンドウがユーザによって選択され、選択された検索語の変形語が含まれた拡張ポップアップウィンドウを提供してもよく、検索領域は、画面上での透明度の調節及び位置調節が可能である。
【０１４０】
また、検索領域提供部３４４は、第１の検索ウィンドウ、第２の検索ウィンドウ及び第３の検索ウィンドウのうちいずれか一つに表示された特定の検索語が選択された場合、選択された検索語を検索エンジン３４５に伝送した後、検索エンジン３４５から検索結果を受信し、これを検索領域に表示してもよい。
【０１４１】
一方、検索結果は、ウェブ検索サービスを提供する検索サーバの検索結果をＩＰＴＶに適した形態に加工して提供してもよい。
【０１４２】
以上説明した本発明に係る各実施形態は、多様なコンピュータ構成要素を介して実行されるプログラム命令語の形態で実現され、コンピュータ読取可能な記録媒体に記録される。コンピュータ読取可能な記録媒体は、プログラム命令語、データファイル、データ構造などを単独で又は組み合わせてもよい。前記記録媒体に記録されるプログラム命令語は、本発明のために特別に設計されて構成されたものであるか、又はコンピュータソフトウェア分野の当業者に公知のものである。コンピュータ読取可能な記録媒体の例としては、ハードディスク、フロッピー（登録商標）ディスク及び磁気テープのような磁気媒体、ＣＤ―ＲＯＭ、ＤＶＤなどのような光記録媒体、フロプティカルディスクのような磁気―光媒体、及びＲＯＭ、ＲＡＭ、フラッシュメモリなどのようなプログラム命令語を格納して実行するように特別に構成されたハードウェア装置が含まれる。プログラム命令語の例としては、コンパイラによって作られるような機械語コードだけでなく、インタプリタなどを使用してコンピュータによって実行される高級言語コードも含まれる。前記ハードウェア装置は、本発明に係る処理を行うために一つ以上のソフトウェアモジュールとして作動するように構成され、その逆の場合も同様である。
【０１４３】
上述した本発明の説明は、例示のためのものであり、本発明の属する技術分野の通常の知識を有する者であれば、本発明の技術思想や必須の特徴を変更しない範囲で他の具体的な形態に容易に変形可能であることを理解することができる。
【０１４４】
したがって、上述した各実施形態は、全ての面で例示的なものであり、限定的なものでないことを理解しなければならない。
【０１４５】
例えば、単一型として説明されている各構成要素は、分散されて実施されることも可能であり、これと同様に、分散されたものとして説明されている各構成要素も結合形態で実施されることが可能である。
【０１４６】
本発明の範囲は、上述した詳細な説明より後述する特許請求の範囲によって定めるもので、特許請求の範囲の意味及び範囲、そして、その均等概念から導出される全ての変更又は変形された形態は、本発明の範囲に含まれるものと解釈されなければならない。
【符号の説明】
【０１４７】
３４１：検索ログＤＢ、３４２：推薦検索語抽出部、３４３：リアルタイム検索語抽出部、３４４：検索領域提供部、３４５：検索エンジン
【図１】
2010146570.tif 000005
【図２】
2010146570.tif 000006
【図３】
2010146570.tif 000007
【図４】
2010146570.tif 000008
【図５】
2010146570.tif 000009
【図６】
2010146570.tif 000010
【図７】
2010146570.tif 000011
【図８】
2010146570.tif 000012
【図９】
2010146570.tif 000013
【図１０】
2010146570.tif 000014
【図１１】
2010146570.tif 000015